(57)【要約】【課題】画素ずらし表示可能な画像表示装置において、ローパスフィルタモード時に表示する画像の画質を向上する。【解決手段】表示素子１２と画素ずらし素子１３と拡大光学系とを含む画素ずらし拡大表示部と、画素ずらし素子１３が画素ずらしを行うタイミングに同期して表示素子１２に表示する画像を異なる空間的位置に対応する異なる画像とすることにより高精細表示を行う画素ずらしモードと、画素ずらし素子１３が画素ずらしを行う１周期以上の期間に表示素子１２に表示する画像を同一の画像とするローパスフィルタモードと、により画素ずらし拡大表示部を制御する表示制御部３と、を備える画像表示装置において、表示制御部３は、ローパスフィルタモードにおける画素ずらし周波数が、画素ずらしモードにおける画素ずらし周波数よりも高い周波数となるように制御する。【選択図】図１
2009210928.tif 000002
【特許請求の範囲】
【請求項１】
表示素子と、上記表示素子に表示される画像の空間的位置を所定の画素ずらし周波数で周期的に異ならせる画素ずらしを行う画素ずらし素子と、上記表示素子に表示され上記画素ずらし素子を経由した画像を拡大する拡大光学系と、を含む画素ずらし拡大表示部と、
上記画素ずらし素子が画素ずらしを行うタイミングに同期して、上記表示素子に表示する画像を異なる空間的位置に対応する異なる画像とすることにより、該表示素子が備える画素数の複数倍の画素数の高精細表示を行う画素ずらしモードと、上記画素ずらし素子が画素ずらしを行う１周期以上の期間に上記表示素子に表示する画像を同一の画像とするローパスフィルタモードと、を含む複数の表示モードの内の何れかにより、上記画素ずらし拡大表示部を制御する表示制御部と、
を備え、
上記表示制御部は、上記ローパスフィルタモードにおける画素ずらし周波数が、上記画素ずらしモードにおける画素ずらし周波数よりも高い周波数となるように、上記画素ずらし拡大表示部を制御するものであることを特徴とする画像表示装置。
【請求項２】
上記表示制御部は、上記ローパスフィルタモードにおける画素ずらし周波数が、上記画素ずらしモードにおける画素ずらし周波数の２倍以上の整数倍となるように、かつ、上記画素ずらし素子が画素ずらしを行うタイミングが、上記表示素子が画像を表示するタイミングに同期するように、上記画素ずらし拡大表示部を制御するものであることを特徴とする請求項１に記載の画像表示装置。
【請求項３】
上記表示制御部は、上記画素ずらし素子が画素ずらしを行うタイミングが上記表示素子が画像を表示するタイミングに同期するか否かに関わらず、上記ローパスフィルタモードにおける画素ずらし周波数を、上記画素ずらし素子により達成可能な上限の周波数に設定するものであることを特徴とする請求項１に記載の画像表示装置。
【請求項４】
上記表示制御部は、上記ローパスフィルタモードにおける画素ずらし周波数が４０Ｈｚ以上となるように、上記画素ずらし拡大表示部を制御するものであることを特徴とする請求項１から請求項３の何れか一項に記載の画像表示装置。
【請求項５】
映像信号の解像度を上記表示素子の解像度と比較して、映像信号の解像度が該表示素子の解像度以下である場合には上記ローパスフィルタモードに設定すべきである判定を行い、映像信号の解像度が該表示素子の解像度よりも高い場合には上記画素ずらしモードに設定すべきである判定を行う画素ずらし表示判断部をさらに具備し、
上記表示制御部は、上記画素ずらし表示判断部の判定結果に基づいて表示モードを設定し、上記画素ずらし拡大表示部を制御するものであることを特徴とする請求項１から請求項４の何れか一項に記載の画像表示装置。
【請求項６】
外部電源と電池とを電源とし得る電源部と、
この電源部が外部電源と電池との何れを電源としているかを判定すると共に、電池を電源としていると判定したときにはさらに電池の残量が所定量以上であるか否かを判定する電源状態判断部と、
をさらに具備し、
上記画素ずらし表示判断部は、上記電源状態判断部による判定結果が、電池を電源としかつ電池の残量が所定量未満であるとするものである場合には、映像信号の解像度が上記表示素子の解像度よりも高い場合であっても、上記ローパスフィルタモードに設定すべきである判定を行うものであることを特徴とする請求項５に記載の画像表示装置。
【発明の詳細な説明】
【技術分野】
【０００１】
本発明は、画素ずらしを行うことにより表示素子が備える画素数以上の高精細表示を可能とする画像表示装置に関する。
【背景技術】
【０００２】
近年、ハイビジョン（ＨＤ）放送の受像器、つまり、いわゆるハイビジョンテレビが次第に普及しつつある。また、パーソナルコンピュータ（ＰＣ）は処理性能が向上すると共に、該ＰＣに接続されている表示装置の高画素化が進んでいる。このように、生活環境において、各種の表示装置の高解像度化が進行している。
【０００３】
このような各種表示装置の高解像度化に伴って、携帯可能となるように小型化が図られた表示装置である携帯情報端末（例えば、ＰＤＡ（Personal Digital Asistant）や携帯電話）等においても、表示の画素数が増加する傾向にある。
【０００４】
しかし、携帯情報端末は、小型な筐体を備えたものとして構成されているために、表示面積の絶対量を大きく確保することが困難である。このような点を解決するには種々の手段が考えられるが、その一例が電子ビューファインダ（以下では適宜、ＥＶＦ（Electronic View Finder）という。ここに、ＥＶＦは、小型の表示素子等に表示された画像を、接眼レンズ等を介して拡大して観察するタイプのファインダである。）を、携帯情報端末において画像を表示する手段として用いることである。このＥＶＦは、接眼レンズを覗き込むようにして使用するものとなっており、虚像を拡大して観察することができるために、擬似的に大画面の表示を行うことが可能である。従って、このＥＶＦを携帯情報端末と組み合せることにより、小型の機器である携帯情報端末においても、高画素で大画面の表示を観察することが可能となる利点がある。
【０００５】
ところで、ＥＶＦは、一般に小型の表示素子を用いる構成であるために、表示素子の画素数を増加させようとすると、１画素当たりの面積がかなり小さくなってしまうことになる。しかし、１画素当たりの面積を小さくすると、歩留まりが低下したり、製造プロセス上の限界に達したりするなどの、製造上の課題が生じることになる。
【０００６】
このような課題に対応し得る技術として、時系列的な画素ずらしを用いた高画素化、高解像度化の技術がある。この画素ずらしの技術は、観察者から見る画素の位置（見かけの画素位置）を時系列的にずらすことにより、１つの画素で複数画素位置の表示を行うことができるようにする技術である。
【０００７】
ところで、画素ずらしによる高画素化が可能な表示装置であっても、常に画素ずらしを行って高画素表示を行うことが望ましいとは限らない。例えば、入力される映像信号の解像度が表示素子本来の解像度以下である場合には、特段に高画素表示を行う必要性は認められない。また、バッテリで駆動する機器の場合には、バッテリ残量が低下したときには、高画素表示による短時間の表示よりも、高画素表示を行うことなくより長い時間表示することが必用になることもある。さらにあるいは、静止画像と動画像とを撮像し得る撮像装置等においては、静止画は高精細に表示を行いたい一方で、動画像については精細さよりもフレームレートが重視されることもある。
【０００８】
入力される映像信号のフォーマットに応じて画素ずらしモードを制御する技術としては、例えば、特開２００１−１５７２２９号公報に記載された技術が挙げられる。この公報には、さらに、ＴＮ液晶と複屈折板とを組み合わせて画素ずらし素子を構成することが詳細に記載されている。
【０００９】
同様に、特開２００５−２４１８７０号公報の段落［００８５］〜［００９３］等にも、入力される映像信号の情報量が、表示素子の表示情報量よりも多いときに画素ずらしを行い、表示情報量以下であるときには画素ずらしを行わないように、画素ずらしのモードを変更する技術が記載されている。さらに、該公報には、入力される映像信号の情報量が表示情報量以下であるときに、単に画素ずらしを行わないのではなく、画素ずらし素子をオンとオフの中間状態とすることにより、画素ずらしにより達成される複数画素位置への同時表示を行い、画像の粒状感を軽減する技術が記載されている。
【００１０】
ところで、所定ピッチのブラックマトリクスが形成された液晶表示素子の画像を、所定ピッチのレンチキュラーレンズが形成されたスクリーン上に投影したときに、ピッチの不一致からモアレ縞が生じることがある。そこで、特開平４−１２５５３６号公報には、液晶表示素子と投射レンズとの間の光路中に平行平板ガラスを水平方向または垂直方向の何れか一方向のみに傾けて配置し、該一方向の解像度を低下させてモアレ縞を低減するとともに、他方向においては解像度の低下を防止するようにする技術が記載されている。
【００１１】
また、上述した画素ずらしの技術は、画素位置が時間的に変位する技術であるために、画素ずらしの周波数が低いと、画像が細かく揺れているように感じる（振動感、揺動感を感じる）ことがあり得る。そこで、本出願人は、既に特開２００７−１９２９１９号公報において、画素ずらしの周波数と画素の揺れを感じる人の割合との関係を調査し記載している。
【特許文献１】特開２００１−１５７２２９号公報
【特許文献２】特開２００５−２４１８７０号公報
【特許文献３】特開平４−１２５５３６号公報
【特許文献４】特開２００７−１９２９１９号公報
【発明の開示】
【発明が解決しようとする課題】
【００１２】
上述したように、例えば入力される映像信号の解像度が低い場合などには、画素ずらし表示を行う必然性はない。しかし、単に画素ずらし素子をオンまたはオフの何れかの状態に固定するだけでは、表示画面に占める画素の割合（開口率）が低下するために、画像の粒状感を生じさせる原因となる。一方で、画素ずらしのときと同じ周期で画素ずらしを行いながら、一周期中に表示素子に表示する画像を同一とすることにより、開口率の低下を抑制することも考えられる。しかし、この場合であっても、次に説明するような課題が残ることになる。
【００１３】
すなわち、表示素子としては液晶表示素子等が現在広く用いられているが、この表示素子が表示する画像情報を切り換える周波数は、それほど高くすることが困難なのが現状であり、例えばフレーム周波数を３０Ｈｚまたは６０Ｈｚ程度とするのが一般的である。
【００１４】
これに対して、画素ずらし素子は、上記特開２００１−１５７２２９号公報に記載されたようなＴＮ液晶と複屈折板とを組み合わせる方式以外にも、圧電素子等を用いて機械的に振動を発生する方式や、デジタルマイクロミラーデバイスを用いた方式など、各種の方式のものがあり、高い周波数を実現可能なものもある。
【００１５】
しかしながら、画素ずらし可能な表示装置において、画素ずらしモードで駆動を行う場合には、画素ずらし素子の周波数を表示素子の周波数に同期させる必要があるために、あまり高速に画素ずらしを行うことはできず、上記特開２００７−１９２９１９号公報に記載されているような画素の揺動感を観察者が感じてしまう可能性がある。
【００１６】
また、上記特開２００５−２４１８７０号公報に記載されたような、画素ずらし素子をオンとオフの中間状態とすることにより画素の開口率を上げて画像の粒状感を軽減する技術は、揺動感が発生しないという点では優れているが、表示素子上の１画素を複数の観察画素位置に同一輝度で表示するように画素ずらし素子を中間状態に正確に制御するのは簡単ではない。また、利用可能な画素ずらし素子も、中間状態において複数の観察画素位置に表示を行い得るようなタイプの画素ずらし素子に限られてしまう（つまり、機械的に画素ずらしを行う方式や、デジタルマイクロミラーデバイスを用いて画素ずらしを行う方式には適用することができない）。
【００１７】
本発明は上記事情に鑑みてなされたものであり、画素ずらし表示を行い得る画像表示装置において、画素ずらしによる高解像度表示を行わないときに表示する画像の画質を向上することができる画像表示装置を提供することを目的としている。
【課題を解決するための手段】
【００１８】
上記の目的を達成するために、本発明による画像表示装置は、表示素子と、上記表示素子に表示される画像の空間的位置を所定の画素ずらし周波数で周期的に異ならせる画素ずらしを行う画素ずらし素子と、上記表示素子に表示され上記画素ずらし素子を経由した画像を拡大する拡大光学系と、を含む画素ずらし拡大表示部と、上記画素ずらし素子が画素ずらしを行うタイミングに同期して、上記表示素子に表示する画像を異なる空間的位置に対応する異なる画像とすることにより、該表示素子が備える画素数の複数倍の画素数の高精細表示を行う画素ずらしモードと、上記画素ずらし素子が画素ずらしを行う１周期以上の期間に上記表示素子に表示する画像を同一の画像とするローパスフィルタモードと、を含む複数の表示モードの内の何れかにより、上記画素ずらし拡大表示部を制御する表示制御部と、を備え、上記表示制御部は、上記ローパスフィルタモードにおける画素ずらし周波数が、上記画素ずらしモードにおける画素ずらし周波数よりも高い周波数となるように、上記画素ずらし拡大表示部を制御するものである。
【発明の効果】
【００１９】
本発明の画像表示装置によれば、画素ずらし表示を行い得る画像表示装置において、画素ずらしによる高解像度表示を行わないときに表示する画像の画質を向上することが可能となる。
【発明を実施するための最良の形態】
【００２０】
以下、図面を参照して本発明の実施の形態を説明する。
【００２１】
［実施形態１］
図１から図７は本発明の実施形態１を示したものであり、図１は画像表示装置の構成を示すブロック図、図２は画像表示装置の作用を示すフローチャートである。
【００２２】
この画像表示装置は、図１に示すように、前処理回路１と、フレームメモリ２と、表示制御部３と、電源部６と、電源状態判断部７と、画素ずらし表示判断部８と、フィールドメモリ９と、タイミングコントローラ１０と、バックライト１１と、表示素子１２と、画素ずらし素子１３と、を備えている。なお、画像表示装置には、表示素子１２に表示され画素ずらし素子１３を経由した画像を拡大する拡大光学系も設けられているが、この拡大光学系は光学的な構成であって電気的な構成ではないためにこの図１においては図示を省略している。ただし、この拡大光学系については、画像表示装置の適用例としてのデジタルカメラを示す図７を参照して、後で説明する。
【００２３】
前処理回路１には、静止画／動画、パーソナルコンピュータからの（解像度やリフレッシュ周波数が異なる）映像信号、テレビジョン映像信号（ＮＴＳＣ、ＰＡＬ、ＨＤなど）等の様々なフォーマットの映像信号が入力されるようになっている。
【００２４】
前処理回路１は、これらの様々な種類の映像信号をこの画素ずらし表示装置で表示するために、（例えば表示素子１２の表示レートに合致するように）フレームレート変換を行ったり、ＩＰ（インターレース→プログレッシブ）変換を行ったり、この画素ずらし表示装置の解像度に合致するように解像度変換を行ったり、色空間変換を行ったりするものである。ここに、解像度変換は、画素ずらしモードによる表示を行う場合には、画素ずらし後の見かけの解像度に応じた画像となるように行われ、ローパスフィルタ（ＬＰＦ）モードによる表示を行う場合には、表示素子１２の解像度に応じた画像となるように行われる。なお、この画像表示装置が例えばデジタルカメラ等の特定の機器、つまり得られる映像信号が特定される機器に適用される場合には、この前処理回路１は必ずしも必要であるとは限らないために、ここでは点線のブロックとして示している。
【００２５】
フレームメモリ２は、前処理回路１により処理された映像信号をフレーム単位で記憶するための記憶部である。
【００２６】
表示制御部３は、バックライト１１、表示素子１２、画素ずらし素子１３を含む表示系の制御を行うものであり、画素ずらしモードおよびＬＰＦモードを含む各種の表示モードを制御するための画素ずらし制御部４を備えている。この画素ずらし制御部４は、上記各表示モードの内のＬＰＦモードを制御するためのＬＰＦモード制御部５を備えて構成されている。
【００２７】
電源部６は、この画像表示装置の各部に電力を供給するためのものであり、電源として電池または外部電源を用いることができるようになっている。
【００２８】
電源状態判断部７は、電源部６の状態を判定するためのものである。すなわち、電源状態判断部７は、電源部６が外部電源を電源としているか、または電池を電源としているかを判定する。さらに、電源状態判断部７は、電池を電源としていると判定したときには、電圧等に基づいて電池の残量を判定する。そして、電源状態判断部７は、判定結果を画素ずらし表示判断部８へ出力するようになっている。
【００２９】
画素ずらし表示判断部８は、前処理回路１から、入力された映像信号の解像度に関する情報を少なくとも取得するとともに、さらに、電源状態判断部から電源に関する情報を取得する。そして、画素ずらし表示判断部８は、画素ずらしモードの表示を行うか否かを次に説明するように判断する（ステップＳ１）。
【００３０】
すなわち、画素ずらし表示判断部８は、入力された映像信号の解像度が、表示素子１２の表示解像度以下である場合にはＬＰＦモードにより駆動を行う旨の情報を前処理回路１および表示制御部３へ出力する。また、画素ずらし表示判断部８は、入力された映像信号の解像度が、表示素子１２の表示解像度よりも高い場合には、電源として外部電源を用いているか、または電源として電池を用いていてかつ残量が所定量以上であるときには、画素ずらしモードにより駆動を行う旨の情報を前処理回路１および表示制御部３へ出力する。一方、画素ずらし表示判断部８は、入力された映像信号の解像度が表示素子１２の表示解像度よりも高い場合であっても、電源として電池を用いていてかつ残量が所定量未満であるときには、ＬＰＦモードにより駆動を行う旨の情報を前処理回路１および表示制御部３へ出力する。
【００３１】
前処理回路１は、画素ずらし表示判断部８からＬＰＦモードにより駆動を行う旨の情報を取得した場合には、映像信号を、表示素子１２の表示解像度に等しい解像度に変換してフレームメモリ２へ出力する。一方、前処理回路１は、画素ずらし表示判断部８から画素ずらしモードにより駆動を行う旨の情報を取得した場合には、映像信号を、表示素子１２の表示解像度×（１周期における画素ずらしの画素の移動位置数）に等しい解像度に変換してフレームメモリ２へ出力する。例えば、後述する図３等に示すように４点画素ずらしを行う場合には、前処理回路１は、映像信号を表示解像度×４（［縦表示解像度×２］×［横表示解像度×２］）の解像度に変換してフレームメモリ２へ出力することになる。
【００３２】
表示制御部３は、画素ずらし表示判断部８から画素ずらしモードにより駆動を行う旨の情報を取得した場合には、フレームメモリ２から１フレーム分の映像信号を読み出して、各画素ずらし位置に対応したフィールドデータを生成し、フィールドメモリ９に記憶させる。そして、表示制御部３は、バックライト１１を点灯させた上で、表示素子１２へフィールドデータを供給するとともに、画素ずらし素子１３をこのフィールドデータを表示するべき画素位置へ画素ずらしさせるように制御する（ステップＳ２）。
【００３３】
一方、表示制御部３は、画素ずらし表示判断部８からＬＰＦモードにより駆動を行う旨の情報を取得した場合には、フレームメモリ２から読み出したフレームデータを、１フレームの表示期間中に表示素子１２に表示させながら、画素ずらし素子１３を駆動して、後述するように、画素ずらしモード時よりも高い画素ずらし周波数で画素ずらしを行わせるように制御する（ステップＳ３）。従って、ＬＰＦモードにより駆動を行うときには、フィールドデータを生成する必要がないために、消費電力を低減して、発熱量を抑制することができる。
【００３４】
また、タイミングコントローラ１０は、フレームメモリ２と、表示制御部３と、フィールドメモリ９と、のタイミングを合わせるためのタイミング信号（基準信号）等を生成してこれらに出力するものである。このタイミングコントローラ１０から出力される基準信号は、表示素子１２や画素ずらし素子１３、あるいはバックライト１１を含む表示系の駆動タイミングを制御する際に、表示制御部３により用いられる。
【００３５】
バックライト１１は、表示素子１２を背面側から照明する光源であり、駆動回路等を含んで構成されている。
【００３６】
表示素子１２は、画像信号に応じてバックライト１１からの光を空間変調する空間変調部であり、複数の画素を２次元状に配列して構成されている。そして、この表示素子１２には、駆動回路等が含まれているものとする。
【００３７】
画素ずらし素子１３は、表示素子１２の画素位置を時系列的に移動するものであり、駆動回路等を含んで構成されている。この画素ずらし素子１３は、上記特開２００１−１５７２２９号公報に記載されたようなＴＮ液晶（偏光スイッチング液晶）と複屈折板とを組み合わせる方式のものであっても良いし、圧電素子等を用いて機械的に振動を発生する方式のものでも構わないし、デジタルマイクロミラーデバイスを用いた方式のものでも良いし、その他各種の方式のものを適用することも可能である。
【００３８】
次に、図３は画素ずらしモードにおける表示素子の表示状態と基準信号と画素シフト状態とを示すタイミングチャートである。
【００３９】
本実施形態においては、図３（Ｃ）に示すような４点画素ずらしを想定しており、左上の画素位置Ａ、右上の画素位置Ｃ、左下の画素位置Ｂ、右下の画素位置Ｄ、の４つの画素位置への画素ずらしが行われるものとする。なお、この４点画素ずらしはもちろん単なる一例であり、２点画素ずらしであっても構わないし、その他の多点画素ずらしであっても良い。
【００４０】
この場合には、表示制御部３は、フレームメモリ２に記憶されている［（表示素子１２の縦表示解像度）×２］×［（表示素子１２の横表示解像度）×２］のフレームデータから、画素位置Ａのフィールドデータと、画素位置Ｂのフィールドデータと、画素位置Ｃのフィールドデータと、画素位置Ｄのフィールドデータと、をそれぞれ表示素子１２の表示解像度のデータとして作成して、フィールドメモリ９に記憶させる。なお、図３において、１番目のフレームの画素位置Ａ，Ｂ，Ｃ，Ｄのデータをそれぞれ、Ａ１，Ｂ１，Ｃ１，Ｄ１などと記している（２番目のフレームに関しても同様）。
【００４１】
そして、表示制御部３は、タイミングコントローラから出力される基準信号に同期して、あるフィールド周期において、表示素子１２に例えば画素位置Ａのフィールドデータを供給して表示させるとともに、画素ずらし素子１３に画素位置Ａへの画素ずらし（画素シフト）を行わせるようにこの画素ずらし素子１３を制御する。
【００４２】
次に、表示制御部３は、タイミングコントローラ１０から出力される基準信号に同期して、次のフィールド周期において、表示素子１２に画素位置Ｃのフィールドデータを供給して表示させるとともに、画素ずらし素子１３に画素位置Ｃへの画素ずらし（画素シフト）を行わせるようにこの画素ずらし素子１３を制御する。
【００４３】
同様にして、さらに次のフィールド周期、およびその次のフィールド周期において、画素位置Ｂの表示、および画素位置Ｄの表示を行う。
【００４４】
ここに、タイミングコントローラ１０から出力される基準信号は、フィールド周期の信号であって、たとえば１２０Ｈｚの周波数であるものとする。
【００４５】
従って、４点画素ずらしを行う本実施形態においては、４つのフィールドで構成される１フレームの周波数は３０Ｈｚである。
【００４６】
なお、この周期（フィールド周期、フレーム周期）は、前処理回路１に入力される映像信号のフレームレート（フレーム周波数）や、表示素子１２により達成可能な表示レート（表示周波数）を勘案して決定されたものである。すなわち、例えばＬＣＤを用いた表示素子１２は、現状では、３０Ｈｚまたは６０Ｈｚ程度の表示レートによる表示が行われることが多い。この図３に示したような４点画素ずらしでは、１フレーム毎に４回表示を切り換えなければならないために、６０Ｈｚの表示レートで駆動するタイミングを、さらに倍速で駆動することにより１２０Ｈｚの表示レートを達成している。そして、画素ずらし素子１３の画素ずらしレート（画素位置Ａ〜Ｄを一巡する画素ずらし周波数）は、この表示素子１２の４フィールド分の表示レート（つまり、１フレームを表示するレート）に一致し、かつ同期する必要があるために、３０Ｈｚとなっている。
【００４７】
続いて、図４は、図３に示す画素ずらしモードにおいて、１フレーム期間中に表示素子１２に供給するフィールドデータを同一とすることにより達成するＬＰＦモードにおける表示素子１２の表示状態と基準信号と画素シフト状態とを示すタイミングチャートである。
【００４８】
１フレーム周期中の画素位置Ａ，Ｃ，Ｂ，Ｄの各フィールドの何れに対しても、表示素子１２に供給するフィールドデータを例えば画素位置Ａのフィールドデータ（ＬＰＦモードにおいては、上述したようにフィールドデータは生成されないために、実際にはフレームメモリ２から読み出したフレームデータとなる）のみとすることにより、画素位置（画素シフト位置）が異なっても表示される画素データは同一である。従って、表示素子１２の解像度と同一解像度の画像が表示されることになり（つまり、画素ずらし自体は行われるものの、画素ずらしによる高解像度表示は行われないことになり）、ＬＰＦモードの表示となる。
【００４９】
この図４に示したような駆動を行う場合には、上述した画素ずらしモードと同様に、１フレームの周波数が３０Ｈｚであり、画素ずらしの周波数も３０Ｈｚ（画素ずらしの１つの画素位置を表示する時間に該当する周波数は１２０Ｈｚ）である。
【００５０】
ところで、画素ずらしが行われると、同一の画素データが表示される画素位置が画素ずらしに応じて移動することになるために、画素ずらしレート（この画素ずらしが行われる１周期は、上述したように１フレームの周期と同じ）が低いと画素が細かく揺動しているように観察されてしまう。図５は、表示フレームレートと画素の揺れを許容できる人の割合との関係を示す図表である。
【００５１】
図示のように表示フレームレートが３０Ｈｚである場合には画素の揺れを許容できる人の割合は２割に過ぎないが、表示フレームレートが４０Ｈｚである場合には７割、表示フレームレートが４５Ｈｚである場合には８割、表示フレームレートが６０Ｈｚである場合には９割に増加する。このように、出願人は、表示フレームレートを高くする程、つまり画素ずらしの周波数を高くする程、画素の揺れが認知し難くなるという実験結果を得ている。
【００５２】
従って、図４に示したようなＬＰＦモード表示を行うと、画素の揺れを許容できる人の割合が比較的低く（例えば２割）、より高画質なＬＰＦモード表示を行うためには画素ずらしの周波数をより高くすることが望ましい。そこで、より高画質なＬＰＦモード表示を行うための駆動タイミングについて、図６を参照して説明する。
【００５３】
図６は画素ずらしモードの画素ずらしレートよりも高いレートで画素ずらしを行う高品質ＬＰＦモードにおける表示素子の表示状態と基準信号と画素シフト状態とを示すタイミングチャートである。
【００５４】
ＬＰＦモードでは、表示素子１２により１フレームの表示を行うレートと画素ずらし素子１３の画素ずらしレートとが同一である必要はない。そこで、画素ずらしによる揺動感を低減するために、画素ずらしレートを１フレームの表示を行うレートよりも早くした例がこの図６に示すものである。
【００５５】
この図６に示す例においては、画素ずらし素子１３の画素ずらしレートを表示素子１２の１フレームの表示を行うレート（つまり、画素ずらしモードにおける画素ずらしレート）の２倍とするとともに、駆動タイミングについては同期するようにしている。
【００５６】
すなわち、１フレーム周期（周波数：３０Ｈｚ）中に表示素子１２に供給するフィールドデータを同一画素位置のフィールドデータ（例えば画素位置Ａのフィールドデータ）とするとともに、１フレーム周期において画素ずらしを２周期分（つまり、Ａ→Ｃ→Ｂ→Ｄ→Ａ→Ｃ→Ｂ→Ｄ）行い、かつ画素ずらし素子１３の駆動タイミングと表示素子１２の駆動タイミングとを同期させている。これにより、画素ずらしレート（画素位置が一巡するレート）は６０Ｈｚとなるために、図５を参照すれば分かるように、画素の揺れを許容できる人の割合を大幅に（例えば９割に）増大することができる。なお、表示素子１２は表示を切り換える際の応答時間があるために、表示切換時に、上記特開２００１−１５７２２９号公報に記載されたような画素ずらし方式であれば濃度が変化し、圧電素子等を用いて機械的に振動を発生する画素ずらし方式であれば画素の間が埋まるように変化するが、画素ずらし素子１３の駆動タイミングと表示素子１２の駆動タイミングとを同期させることにより、特定の画素位置のみの画素濃度が低くなる等のムラを防止する制御を行い易くなる。従って、本実施形態では、ＬＰＦモードにおいて、図４に示すような駆動ではなく、この図６に示すような駆動を行うようになっている。
【００５７】
そして、図５に示したような実験結果を参照すれば、画素ずらしレートは４０Ｈｚ程度以上確保する必要があると思われ、実用上は４５Ｈｚ以上であることが望ましい。もちろん、これに限らず、画素ずらし素子１３が高速に画素ずらしを行うことができるタイプのものである場合には、より高い画素ずらしレート（例えば、画素ずらしモードにおける画素ずらしレートの３倍、４倍、５倍、…等のレート）に設定すると良い（ただし、画素ずらし素子１３の駆動タイミングと表示素子１２の駆動タイミングとを同期させるためには、基本的に、画素ずらしレートは１フレームの表示を行うレート（つまり、画素ずらしモードにおける画素ずらしレート）の２倍以上の整数倍となる）。
【００５８】
次に、図７は図１に示したような画像表示装置を適用したデジタルカメラの構成例を示す図である。なお、この図７において、図１に対応する構成には同一の符号を付して適宜説明を省略する。
【００５９】
図１に示したような画像表示装置は、画素ずらしにより画像を表示する装置であれば広く適用することができるが、ここではその一適用例としてのデジタルカメラ（デジタルスチルカメラ：ＤＳＣ）について説明する。
【００６０】
この図７に示す例では、デジタルカメラには画素ずらしの技術が用いられた電子ビューファインダ（ＥＶＦ：Electronic View Finder）表示部が画素ずらし拡大表示部として設けられており、このＥＶＦ表示部によって、必要に応じて高精細な画像表示を行うことができるようになっている。
【００６１】
撮像装置としてのこのデジタルカメラは、撮像光学部２１と、撮像素子２２と、撮像回路２３と、Ａ／Ｄ変換器２４と、フォーカスモータ駆動回路２５と、ズームモータ駆動回路２６と、絞り駆動回路２７と、シャッタ駆動回路２８と、画像処理回路３１と、圧縮伸張部３３と、タイミングジェネレータ３５と、表示部３６と、表示制御部３と、バックライト１１と、表示素子１２と、画素ずらし素子１３と、接眼光学系２０と、着脱メモリ３４と、内蔵メモリ３２と、不揮発性メモリ３７と、電源部６と、操作部３８と、システムコントローラ３９と、を備えている。
【００６２】
ここに、ＥＶＦ表示部は、表示制御部３と、バックライト１１と、表示素子１２と、画素ずらし素子１３と、接眼光学系２０と、を含んでいる。
【００６３】
また、システムコントローラ３９は、電源状態判断部７と、画素ずらし表示判断部８と、を備えて構成されている。
【００６４】
撮像光学部２１は、被写体像を撮像素子２２に結像するためのものでありズーム光学系として構成された撮像レンズと、この撮像レンズを通過する光束の光量を制御するための絞りと、撮像レンズを通過する光束の通過時間を制御するためのメカニカルシャッタと、撮像レンズに含まれるズームレンズを駆動するためのズームモータと、撮像レンズに含まれるフォーカスレンズを駆動するためのフォーカスモータと、を備えて構成されている。
【００６５】
撮像素子２２は、撮像光学部２１により結像された被写体の光学像を光電変換して、電気信号として出力するものであり、例えばＣＣＤやＣＭＯＳとして構成されている。
【００６６】
撮像回路２３は、撮像素子２２を駆動すると共に、撮像素子２２から得られた電気信号にアナログの信号処理を施してアナログの画像信号として出力するものである。
【００６７】
Ａ／Ｄ変換器２４は、撮像回路２３から出力されたアナログの画像信号を、デジタルの画像信号（映像信号）に変換して出力するものである。
【００６８】
フォーカスモータ駆動回路２５は、撮像光学部２１に含まれるフォーカスモータを制御して駆動することにより、撮像レンズのフォーカシングを行うものである。
【００６９】
ズームモータ駆動回路２６は、撮像光学部２１に含まれるズームモータを制御して駆動することにより、撮像レンズのズーミングを行うものである。
【００７０】
絞り駆動回路２７は、撮像光学部２１に含まれる絞りを制御して駆動することにより、絞り調整を行うものである。
【００７１】
シャッタ駆動回路２８は、撮像光学部２１に含まれるメカニカルシャッタを制御して駆動することにより、撮像素子２２の露光時間（シャッタ時間）を調節するものである。
【００７２】
画像処理回路３１は、Ａ／Ｄ変換器２４から出力され、バスを介して内蔵メモリ３２に一旦記憶された画像信号に各種の画像処理を行うためのものである。この画像処理回路３１により行われる画像処理としては、例えば画素欠陥補償、撮像素子２２が単板である場合には３板化の処理、色バランス処理、ＲＧＢ信号から輝度−色差信号へのマトリクス変換処理やその逆変換処理、帯域制限等による偽色除去（あるいは偽色低減）処理、γ変換に代表されるような各種の非線型処理、画素数変換処理、などが挙げられる。この画像処理回路３１により画像処理された画像信号は、バスを介して内蔵メモリ３２に再び記憶されるようになっている。この画像処理回路３１は、図１に示した前処理回路１の機能を兼ねるものとなっている。
【００７３】
圧縮伸張部３３は、画像処理回路３１により処理された画像信号を圧縮処理したり、あるいは着脱メモリ３４に既に記録されている圧縮された画像信号を伸張処理して内蔵メモリ３２に記憶させる処理を行ったりするものである。
【００７４】
表示部３６は、画像処理回路３１により処理された画像を表示したり、あるいはこのデジタルカメラに係る各種の情報を表示したりするためのものであり、例えばデジタルカメラの背面側に配設されたＬＣＤ等を含んで構成される表示部となっている。ここに、このデジタルカメラには、この背面ＬＣＤ等で構成される表示部３６と、画素ずらし機能を備えたＥＶＦ表示部と、の両方が設けられていて、これらはシステムコントローラ３９により制御されるようになっている。すなわち、システムコントローラ３９は、例えば表示部３６により表示を行うときにはＥＶＦ表示部を非表示とする、ＥＶＦ表示部により表示を行うときには表示部３６を非表示とする、表示部３６とＥＶＦ表示部とを同時に表示する、表示部３６とＥＶＦ表示部とを両方とも非表示とする、等の表示デバイスの制御を行うようになっている。
【００７５】
タイミングジェネレータ３５は、図１に示したタイミングコントローラ１０に対応しており、このデジタルカメラにおいて用いられる基準となる信号（タイミング信号）を生成するものである。
【００７６】
表示制御部３は、システムコントローラ３９の制御に基づきＥＶＦ表示部の各回路を制御するものであり、図１に示したようにＬＰＦモード制御部５を含む画素ずらし制御部４を備えている。
【００７７】
バックライト１１、表示素子１２、画素ずらし素子１３は、図１を参照して説明したようなものである。
【００７８】
接眼光学系２０は、表示素子１２に表示され、画素ずらし素子１３を介して射出される画像を、虚像として観察者の目に拡大して投影するもの（つまり、拡大光学系として構成されている）である。
【００７９】
着脱メモリ３４は、メモリカード（例えば、ＳＤカード、ｘＤピクチャーカード、スマートメディア等）や小型ハードディスク等の着脱可能な不揮発性の記録媒体であり、撮像素子２２により撮像された画像（静止画像や動画像）、あるいは音声等を記録するためのものである。
【００８０】
内蔵メモリ３２は、図１に示したフレームメモリ２およびフィールドメモリ９に対応するものであり、高速に動作する揮発性のメモリ、例えばＳＤＲＡＭ（Synchronous Dynamic Random Access Memory）等により構成されていて、上述したように画像処理用のワークエリアとしても使用されるようになっている。
【００８１】
不揮発性メモリ３７は、フラッシュメモリ等の不揮発性記録媒体として構成されていて、このデジタルカメラの基本制御プログラムや、このデジタルカメラに関する種々のデータ等が記録されたものである。システムコントローラ３９は、この不揮発性メモリ３７から基本制御プログラムを読み出して実行することにより、デジタルカメラ全体の制御を行うようになっている。
【００８２】
電源部６は、電池または外部電源から供給される電力を、このデジタルカメラ内部の各部に安定化して供給するものである。このデジタルカメラは、携帯可能なものであって、通常の携帯時には電池により駆動するようになっているが、ＡＣアダプタ等を接続することにより外部電源から電力の供給を受けて動作することも可能となっている。
【００８３】
操作部３８は、このデジタルカメラの電源のオン／オフを行うための電源スイッチや、このデジタルカメラの動作モードを設定するためのモード切換スイッチ、表示を表示部３６により行うかＥＶＦ表示部により行うか等を設定するための表示切換スイッチ、動画像を記録するか静止画像を記録するかを設定するための動画／静止画切換スイッチ、撮像動作を指示入力するための２段式のボタンスイッチでなるレリーズボタン、各種の選択操作や移動操作を行うための十字キー等を含んで構成されるものである。
【００８４】
システムコントローラ３９は、上述した基本制御プログラムに基づいて、このデジタルカメラ全体を統括的に制御するためのものである。
【００８５】
次に、このようなデジタルカメラにおいて、画像を撮像するときの動作の概要は、次のようになっている。
【００８６】
本撮影に先立って、焦点検出や測光が行われ、その結果に基づいて、撮像光学部２１のフォーカス調整が行われ、撮像の露光時間（シャッタ速度）および絞り値が設定されているものとする。
【００８７】
そして、レリーズボタンの２段目の押圧が行われると、撮像光学部２１を介して結像された被写体の光学像が上記露光時間だけ撮像素子２２により電気信号に変換され、その後に撮像素子２２から読み出されて撮像回路２３からアナログ画像信号として出力される。
【００８８】
このアナログ画像信号は、Ａ／Ｄ変換器２４によりデジタル画像信号に変換されて、一旦、内蔵メモリ３２に記憶される。
【００８９】
画像処理回路３１は、内蔵メモリ３２に一時的に記憶された画像情報に対して、上述したような画像処理を行う。
【００９０】
この画像処理回路３１により画像処理された画像情報は、圧縮伸張部３３により例えばＪＰＥＧ圧縮（静止画像の場合）やＭＰＥＧ圧縮（動画像の場合）等がなされて、着脱メモリ３４に記録される。
【００９１】
また、撮像した画像は、表示部３６とＥＶＦ表示部との何れにも表示することが可能である。ここに、表示部３６に表示する場合には、画像処理回路３１により画像処理がなされ、さらに表示部３６用に画素数変換が行われた画像情報が、表示部３６に表示される。また、ＥＶＦ表示部に表示する場合には、画像処理回路３１により画像処理がなされて内蔵メモリ３２に一時的に記憶されている画像が、表示制御部３により画素数変換されてフレームメモリおよびフィールドメモリとして機能する内蔵メモリ３２に記憶され、さらに表示素子１２に表示される。このときには、バックライト１１が駆動されるとともに、画素ずらし素子１３も必要に応じて駆動され、ＥＶＦ表示部による表示が行われる。
【００９２】
なお、静止画像を撮像する前に表示部３６またはＥＶＦ表示部により構図の確認等を行う場合には、これらの何れか一方または両方はファインダとして利用されてフレーム画像が表示されることになる。このような表示をライブビューと呼ぶ。
【００９３】
一方、着脱メモリ３４に既に記録されている画像を表示する場合には、着脱メモリ３４から圧縮されている画像情報を読み出して圧縮伸張部３３により伸張し、伸張後の画像情報を内蔵メモリ３２に一時的に記憶する。次に、伸張した画像情報に、例えば画像処理回路３１により所定の画像処理を施した後に、処理後の画像を撮影時と同様に表示部３６またはＥＶＦ表示部に表示する。
【００９４】
システムコントローラ３９は、不揮発性メモリ３７からデジタルカメラの基本制御プログラムを読み出して、上述したような処理を含むこのデジタルカメラ全体の制御を行うようになっている。また、システムコントローラ３９は、操作部３８からの入力を受け付けて、基本制御プログラムに基づき、その入力に応じた制御を行うようになっている。さらに、システムコントローラ３９は、基本制御プログラムに基づき、電源状態判断部７によって電源部６の状態を把握し、電源部６を制御して全体の電源管理も行うようになっている。このシステムコントローラ３９が行う電源管理には、上述したようなＥＶＦ表示部の画素ずらしモードを入力される映像信号の解像度や電源状態に基づいて切り換える処理も含まれている。加えて、システムコントローラ３９は、フォーカスモータ駆動回路２５を介したフォーカス調整、ズームモータ駆動回路２６を介したズーム調整、絞り駆動回路２７を介した絞り調整、シャッタ駆動回路２８を介したシャッタ駆動なども行うようになっている。
【００９５】
ところで、撮像素子２２は、近年、画素数が増加する傾向にあり、１０００万画素を超える撮像素子も広く用いられるようになってきている。これに対して、表示素子１２の画素数は、撮像素子２２の画素数よりも少ないことが多い。
【００９６】
さらに、ライブビューを行うときに撮像素子２２の全画素の画素データを用いると、撮像素子２２からの読み出しやその後の画像処理に要する時間が長くなり、かつ処理画素数が多いために消費電力量が多くなることになる。これらの内の時間が長くなることは、リアルタイム性や時間分解能が要求されるライブビューには不利であるし、消費電力が大きくなることは電池等で駆動されることが多いデジタルカメラ等には不利である。
【００９７】
そこで、ライブビュー時には、撮像素子２２から間引きされた画素数の画像を読み出すことにより、特に表示のフレームレートを上げて時間分解能を向上するようにしている。この間引き読み出し時には、フレームレートに応じた間引きを行う（フレームレートが高い場合には読み出す画素数を少なくする）ことにより、単位時間当たりに扱う信号量を所定範囲内に保って、画像処理回路３１の処理負荷が過剰にならないようにしている。
【００９８】
また、被写体の輝度が低い場合には、画素加算読み出しを行うことがあり得るが、このときにも被写体に応じた加算を行う（被写体が暗い場合には加算する画素数を多くする（つまり、読み出す画素数は少なくなる））ことが考えられる。
【００９９】
従って、場合によっては、撮像素子２２から間引きして（あるいは画素加算して）読み出されるライブビュー画像の画素数は、表示素子１２の画素数以下となる場合もあり得る。このような、表示素子１２の画素数以下の画素数の画像が撮像素子２２から出力されてきた場合に、画素ずらし表示判断部８は、画素ずらし制御部４内のＬＰＦモード制御部５へ図６に示したようなＬＰＦモードにより表示を行うべきである旨の信号を出力することにより、制御することになる（つまり、この図７に示すデジタルカメラの場合には、画素ずらし表示判断部８が行う判断は、外部から入力される映像信号に基づいて行うのではなく、撮像素子２２からの信号に基づいて行われることになる）。
【０１００】
なお、上述では、入力される映像信号の解像度や電源部６の電圧等に応じて画素ずらしモードで駆動するかまたはＬＰＦモードで駆動するかを決定したが、これらに限らず、例えば画像表示装置内の温度を検出して、温度が所定値よりも高い場合には画像処理回路３１や画素ずらし制御部４による発熱量を低下させるために、入力される映像信号の解像度に関わらずＬＰＦモードで駆動するなどを行うようにしても良い。このように、画素ずらしモードで駆動するかＬＰＦモードで駆動するかを決定するための要因としては、上述に限るものではなく、広く採用することが可能である。
【０１０１】
また、上述では、画像表示装置が備える表示モードとして、画素ずらしモードとローパスフィルタモードとのみを記載しているが、その他の表示モードをさらに備えて、これらの表示モードの中から適宜の表示モードを選択するようにしても構わない。加えて、画素ずらしモードも１つに限るものではなく、複数の画素ずらしモードを備えて選択することができるようにしても良い。
【０１０２】
このような実施形態１によれば、画素ずらしモードのときよりもＬＰＦモードのときの画素ずらしレートを高くするようにしたために、画素ずらしによる画素の揺動を観察し難くすることができ、より高品質な表示を行うことが可能となる。
【０１０３】
そして、ＬＰＦモードにより駆動を行うときには、画素ずらし用（つまり、画素ずらしの各画素位置用）のフィールド画像を生成する必要がないために、低消費電力化を図ることも可能となり、電池駆動時の動作時間を延長し、機器の発熱を抑制することが可能となる。
【０１０４】
そして、画素ずらし素子１３の駆動タイミングと表示素子１２の駆動タイミングとを同期させるようにしたために、特定の画素ずらし位置における画素濃度のムラを防止する制御を行うことが可能となる
［実施形態２］
図８および図９は本発明の実施形態２を示したものであり、図８は画像表示装置の構成を示すブロック図、図９は画素ずらしモードの画素ずらしレートよりも高いレートで画素ずらしを行う高品質ＬＰＦモードにおける表示素子の表示状態と基準信号と画素シフト状態とを示すタイミングチャートである。
【０１０５】
この実施形態２において、上述の実施形態１と同様である部分については同一の符号を付して説明を省略し、主として異なる点についてのみ説明する。
【０１０６】
上述した実施形態１では、画素ずらし素子１３の画素ずらしレートを表示素子１２が１フレームを表示するレート（つまり、画素ずらしモードにおける画素ずらしレート）の２倍以上の整数倍としていたが、画素ずらし素子１３として用いるデバイスの種類によっては２倍以上の駆動レートを確保することができないもの（画素ずらし素子１３の上限駆動レートが、表示素子１２が１フレームを表示するレートの１倍よりも大きく２倍未満であるもの）もあり得る。本実施形態は、このような画素ずらし素子１３であっても（ただし、２倍以上の駆動レートを実現可能な画素ずらし素子１３であっても本実施形態を適用することは可能である）、より高品質なＬＰＦ表示を行い得るようにするものとなっている。
【０１０７】
本実施形態の画像表示装置は、図１に示した構成に対して、ＬＰＦモード駆動部１４を追加したものとなっている。ここに、ＬＰＦモード制御部５は、ＬＰＦモード駆動部１４を介して画素ずらし素子１３へ接続されている。
【０１０８】
このＬＰＦモード駆動部１４は、表示素子１２の駆動タイミングとは独立したタイミングで、かつ表示素子１２のレートとは独立したレートで、画素ずらし素子１３を駆動するためのものである。従って、ＬＰＦモード駆動部１４は、例えばタイミングコントローラ１０とは別個にクロックを発生する機能を備えていても良い。
【０１０９】
次に、本実施形態における駆動タイミングについて、図９を参照して説明する。
【０１１０】
この図９に示す例においては、画素ずらしレートを１フレームを表示するレート（つまり、画素ずらしモードにおける画素ずらしレート）の１．５倍とするとともに、タイミングについては非同期としている（すなわち、画素ずらしモードにおける高解像度時には、１フレームを表示するレートと画素ずらしレートとが一致する必要があると共に、タイミングも同期する必要があったが、ＬＰＦモードにおいては何れも必須ではないためにこのような駆動が可能となっている）。
【０１１１】
すなわち、１フレーム周期（周波数：３０Ｈｚ）中に表示素子１２に供給するフィールドデータを同一画素位置のフィールドデータ（例えば画素位置Ａのフィールドデータ）とすることは上述した実施形態１の図６と同様であるが、この１フレーム周期において画素ずらしを１．５周期分（つまり、Ａ→Ｃ→Ｂ→Ｄ→Ａ→Ｃ）行い、かつ画素ずらし素子１３の駆動タイミングと表示素子１２の駆動タイミングとを非同期としている。このような制御は、ＬＰＦモード時には、表示素子１２の駆動とは独立して、ＬＰＦモード駆動部１４により画素ずらし素子１３を駆動することにより実現される（ただし、画素ずらしモード時には、上述した実施形態１と同様に、ＬＰＦモード駆動部１４を介することなく画素ずらし素子１３が駆動され、画素ずらし素子１３の駆動タイミングは表示素子１２の駆動タイミングと同期される）。
【０１１２】
そして、この図９に示す場合であっても、画素ずらしレート（画素位置が一巡するレート）は４５Ｈｚであるために、図５を参照すれば分かるように、画素の揺れを許容できる人の割合を比較的（例えば８割に）増大することができる。ここに、ＬＰＦモード駆動部１４により駆動される画素ずらし素子１３の画素ずらしレートは、例えば、画素ずらし素子１３により実現可能な上限の駆動レートとなっている（ただし、上限の駆動レートであるに限るものではなく、画素の揺動感を感じない程度の画素ずらしレートが確保できれば足りる（逆に言えば、上限の駆動レートが画素の揺動感を感じない程度のレートであるような画素ずらし素子１３を用いることが望ましい））。
【０１１３】
このような実施形態２によれば、上述した実施形態１とほぼ同様の効果を奏するとともに、ＬＰＦモードにおいて、表示素子１２の駆動周波数とは独立に、かつ画素ずらしモードにおける画素ずらし素子１３の駆動周波数よりも大きい駆動周波数によってこの画素ずらし素子１３を駆動するようにしたために、画素ずらしによる画素の揺動感を低減して、高画質な画像の表示を行うことができる。
【０１１４】
そして、画素ずらし素子１３により実現し得る上限の駆動周波数によってこの画素ずらし素子１３を駆動する場合には、画素ずらしによる画素の揺動感を可能な限り低減して、より高画質な画像の表示を行うことができる。
【０１１５】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【図面の簡単な説明】
【０１１６】
【図１】本発明の実施形態１における画像表示装置の構成を示すブロック図。
【図２】上記実施形態１における画像表示装置の作用を示すフローチャート。
【図３】上記実施形態１において、画素ずらしモードにおける表示素子の表示状態と基準信号と画素シフト状態とを示すタイミングチャート。
【図４】上記実施形態１の図３に示す画素ずらしモードにおいて、１フレーム期間中に表示素子１２に供給するフィールドデータを同一とすることにより達成するＬＰＦモードにおける表示素子の表示状態と基準信号と画素シフト状態とを示すタイミングチャート。
【図５】上記実施形態１において、表示フレームレートと画素の揺れを許容できる人の割合との関係を示す図表。
【図６】上記実施形態１において、画素ずらしモードの画素ずらしレートよりも高いレートで画素ずらしを行う高品質ＬＰＦモードにおける表示素子の表示状態と基準信号と画素シフト状態とを示すタイミングチャート。
【図７】上記実施形態１の図１に示したような画像表示装置を適用したデジタルカメラの構成例を示す図。
【図８】本発明の実施形態２における画像表示装置の構成を示すブロック図。
【図９】上記実施形態２において、画素ずらしモードの画素ずらしレートよりも高いレートで画素ずらしを行う高品質ＬＰＦモードにおける表示素子の表示状態と基準信号と画素シフト状態とを示すタイミングチャート。
【符号の説明】
【０１１７】
１…前処理回路
２…フレームメモリ
３…表示制御部
４…画素ずらし制御部
５…ＬＰＦモード制御部
６…電源部
７…電源状態判断部
８…画素ずらし表示判断部
９…フィールドメモリ
１０…タイミングコントローラ
１１…バックライト
１２…表示素子
１３…画素ずらし素子
１４…ＬＰＦモード駆動部
２０…接眼光学系
２１…撮像光学部
２２…撮像素子
２３…撮像回路
２４…Ａ／Ｄ変換器
２５…フォーカスモータ駆動回路
２６…ズームモータ駆動回路
２７…絞り駆動回路
２８…シャッタ駆動回路
３１…画像処理回路
３２…内蔵メモリ
３３…圧縮伸張部
３４…着脱メモリ
３５…タイミングジェネレータ
３６…表示部
３７…不揮発性メモリ
３８…操作部
３９…システムコントローラ
【図１】
2009210928.tif 000003
【図２】
2009210928.tif 000004
【図３】
2009210928.tif 000005
【図４】
2009210928.tif 000006
【図５】
2009210928.tif 000007
【図６】
2009210928.tif 000008
【図７】
2009210928.tif 000009
【図８】
2009210928.tif 000010
【図９】
2009210928.tif 000011